(57)【要約】【課題】  目的とするネットワーク機器を特定する手間を軽減できる。【解決手段】  まず、ＬＡＮを介さずに有線接続によりプリンタへニックネームや画像等を送信する。そして、ＬＡＮを介してプリンタに接続後、プリンタから受信したプリンタへニックネームや画像等に基づき、プリンタに関する情報をモニタに表示する。【選択図】  図５
2006109296.tif 000002
【特許請求の範囲】
【請求項１】
ネットワークに接続可能なデジタルカメラであって、
前記ネットワークを介さずにプリンタへ識別情報を送信する通信手段と、
前記ネットワークを介して前記プリンタに接続後、前記プリンタから受信した前記識別情報に基づき、前記プリンタに関する情報を表示する表示手段と、
を有することを特徴とするデジタルカメラ。
【請求項２】
前記識別情報は、前記プリンタのニックネームであり、前記表示手段は、前記プリンタから受信したニックネームを前記プリンタに対応づけて表示することを特徴とする請求項１に記載のデジタルカメラ。
【請求項３】
前記識別情報は、前記デジタルカメラが保持する画像であり、前記表示手段は、前記プリンタから受信した画像を前記プリンタに対応づけて表示することを特徴とする請求項１に記載のデジタルカメラ。
【請求項４】
ネットワークに接続可能なデジタルカメラであって、
前記ネットワークを介さずにプリンタから属性情報を受信する通信手段と、
前記ネットワークを介して前記プリンタに接続後、前記属性情報に基づき探索条件を決定し、前記ネットワーク接続されたプリンタを探索する探索手段と、
前記探索手段による探索結果を表示する表示手段と、
を有することを特徴とするデジタルカメラ。
【請求項５】
前記探索手段は、前記属性情報としてのデバイスタイプを使用して条件付探索リクエストをネットワークに送信することで、前記プリンタを探索することを特徴とする請求項４に記載のデジタルカメラ。
【請求項６】
前記探索手段は、前記属性情報としてのサービスタイプを使用して条件付探索リクエストをネットワークに送信することで、前記プリンタを探索することを特徴とする請求項４に記載のデジタルカメラ。
【請求項７】
前記探索手段は、前記属性情報としての機器固有ＩＤを使用して条件付探索リクエストをネットワークに送信することで、前記プリンタを探索することを特徴とする請求項４に記載のデジタルカメラ。
【請求項８】
前記表示手段は、予め機器固有ＩＤを取得していたプリンタに関しては、そのプリンタの機種名を表示することを特徴とする請求項４に記載のデジタルカメラ。
【請求項９】
ネットワークに接続可能なデジタルカメラの制御方法であって、
前記ネットワークを介さずにプリンタへ識別情報を送信する通信工程と、
前記ネットワークを介して前記プリンタに接続後、前記プリンタから受信した前記識別情報に基づき、前記プリンタに関する情報を表示手段に表示する表示工程と、
を有することを特徴とするデジタルカメラの制御方法。
【請求項１０】
ネットワークに接続可能なデジタルカメラの制御方法であって、
前記ネットワークを介さずにプリンタから属性情報を受信する通信工程と、
前記ネットワークを介して前記プリンタに接続後、前記属性情報に基づき探索条件を決定し、前記ネットワーク接続されたプリンタを探索する探索工程と、
前記探索工程による探索結果を表示手段に表示する表示工程と、
を有することを特徴とするデジタルカメラの制御方法。
【発明の詳細な説明】
【技術分野】
【０００１】
本発明は、ネットワーク接続が可能なデジタルカメラ及びデジタルカメラの制御方法に関する。
【背景技術】
【０００２】
近年、デジタルカメラ等の撮像装置をＬＡＮ接続し、ＬＡＮに接続されたプリンタにプリントアウトできるシステムが提案されている。一方、パソコン等のネットワーク機器をＬＡＮに接続し、ＬＡＮに接続された特定のプリンタなどに出力を行う場合には、出力先の機器を指定する必要があり、そのためにＬＡＮに接続された機器の一覧情報を取得するなどして接続機器の一覧から対象機器を選択したり、あらかじめ対象機種の機器固有ＩＤを調べた上で出力もとの機器で対象機器のＩＤを直接入力するなどして、対象機器を選択していた。画像入力端末の画像データをプリント端末へネットワークを介して送信して出力可能なシステムは特許文献１において開示されている。
【特許文献１】特開２００１−２９０６１９号公報
【発明の開示】
【発明が解決しようとする課題】
【０００３】
しかしながら、ＬＡＮの規模によっては接続された機器の数が膨大なものになり、その中から自分が接続しようとしている機器を探し出すのは困難な場合がある。対象機器の機器固有ＩＤを直接入力するにしても機器固有ＩＤを調べる方法が分からなかったり、分かったとしてもデジタルカメラなどのように文字列を入力する手段が簡便なものでない機器の場合にはＩＤを入力すること自体に手間がかかるという課題があった。
【０００４】
本発明は上述した問題点を解決するためのものであり、目的とするネットワーク機器を特定する手間を軽減できる、または、機器固有ＩＤを入力する手間を削減できるデジタルカメラ及びデジタルカメラの制御方法を提供することを目的とする。
【課題を解決するための手段】
【０００５】
上記目的を達成するために、本発明のデジタルカメラは、ネットワークに接続可能なデジタルカメラであって、前記ネットワークを介さずにプリンタへ識別情報を送信する通信手段と、前記ネットワークを介して前記プリンタに接続後、前記プリンタから受信した前記識別情報に基づき、前記プリンタに関する情報を表示する表示手段と、を有することを特徴とする。
【０００６】
本発明のデジタルカメラの制御方法は、ネットワークに接続可能なデジタルカメラの制御方法であって、前記ネットワークを介さずにプリンタから属性情報を受信する通信工程と、前記ネットワークを介して前記プリンタに接続後、前記属性情報に基づき探索条件を決定し、前記ネットワーク接続されたプリンタを探索する探索工程と、前記探索工程による探索結果を表示手段に表示する表示工程と、を有することを特徴とする。
【発明の効果】
【０００７】
本発明によれば、ＬＡＮに接続された膨大なネットワーク機器のリストにあらかじめカメラからプリンタに送ったデータを合わせてリスト表示する、または、条件にあったものだけをリストアップして選択肢として提示するので、目的とするネットワーク機器を特定する手間を軽減できるという効果がある。
【０００８】
また、目的のネットワーク機器の機器固有ＩＤを入力することなく目的の機器を指定することができるので機器固有ＩＤを調べる手間もなく、デジタルカメラのように入力しにくい機器で機器固有ＩＤを入力する手間もなくなるという効果がある。
【発明を実施するための最良の形態】
【０００９】
以下、図面を参照して本発明の実施の形態を説明する。
【００１０】
（第１の実施形態）
図１はＬＡＮに接続されたネットワーク機器とこれからＬＡＮに接続しようとしているデジタルカメラの接続図である。ネットワーク１０１に任意の数のＰＣ１０２〜１０４、任意の数のプリンタ１０５〜１０７、無線ＬＡＮ用アクセスポイント１０９が接続されている。これらの機器はすでにネットワーク１０１を介して相互に接続されている。
【００１１】
この状態で新たにデジタルカメラ１０８をアクセスポイント１０９を通して無線でＬＡＮに参加させ、ＬＡＮを使ってデジタルカメラ１０８の保持する画像を１０５のＰｒｉｎｔｅｒ＿１に出力することとする。
【００１２】
デジタルカメラ１０８を図１のＬＡＮに参加させるためにはデジタルカメラ１０８からアクセスポイント１０９にＬＡＮへの参加コマンドを発信し、ＬＡＮの設定によっては認証プロセスを経て、デジタルカメラ１０８をＬＡＮに接続することになるが、本実施形態ではデジタルカメラ１０８から１０９アクセスポイントにＬＡＮへの参加コマンドを発信する前にＰｒｉｎｔｅｒ＿１（１０５）とデジタルカメラ１０８をＵＳＢで有線接続する。このとき、デジタルカメラ１０８はＰｒｉｎｔｅｒ＿１（１０５）にプリンタニックネームとサムネイル画像を送信し、後に無線でＬＡＮに接続するときにその情報をプリンタから受け取ることにより数あるＬＡＮ接続機器の中から目的のＰｒｉｎｔｅｒ＿１（１０５）を見出しやすくする。
【００１３】
図２は上述の図１のＰｒｉｎｔｅｒ＿１（１０５）と図１のデジタルカメラ１０８を有線で接続した時のデジタルカメラにおける処理の流れを示すフローチャートである。なお、本処理はデジタルカメラの動作全体を制御するＣＰＵ（図示せず）により管理、実行されるものである。
【００１４】
まず、Ｓ２０１で図１のデジタルカメラ１０８からの画像を出力する対象プリンタに有線で接続する。本実施形態では対象プリンタは図１のＰｒｉｎｔｅｒ＿１（１０５）である。
【００１５】
直接接続か完了したらＳ２０２でデジタルカメラと対象プリンタ情報で情報交換する処理であるペアリングを開始する。ペアリングの開始は有線接続すると自動的に始まることとしてもよいし、有線接続後にプリンタまたはデジタルカメラのＵＩ部材を操作することにより、ペアリングの始まりとしてもよい。本実施形態ではプリンタのペアリング開始ボタン（図示せず）を押すことにより、ペアリングは開始される。
【００１６】
Ｓ２０３でプリンタのＵＵＩＤを取得する。ＵＵＩＤはＬＡＮに接続されている機器中では同じものは存在しないその機器固有のＩＤである。このＵＵＩＤを指定することにより、そのＬＡＮ上では接続機器を１つに限定できる。
【００１７】
Ｓ２０４でデジタルカメラから対象プリンタに対してプリンタニックネームを送信する。プリンタニックネームは任意の文字列であり、自由に指定できる。ＬＡＮでユニークである必要はないが同じニックネームが複数存在すると混同するのでユニークであるほうが望ましいのは言うまでもない。ニックネームを送信する前にあらかじめデジタルカメラ内でニックネームを保持しておく必要があるがソフトキーボード等の利用によりデジタルカメラのＵＩ部材を用いてデジタルカメラに入力しても良いし、デジタルカメラをＰＣに接続してあらかじめ設定しておいても良い。また便宜的にデジタルカメラの機種名をプリンタニックネームとして使用することもできる。
【００１８】
デジタルカメラからニックネームを受信したプリンタはそのニックネームを保持しておく。
【００１９】
Ｓ２０５でデジタルカメラからプリンタにサムネイル画像を送信する。ここで送信したサムネイル画像は後にデジタルカメラをＬＡＮに接続したときにプリンタからデジタルカメラに向けて送信されてくる。デジタルカメラはプリンタから送信されてきた画像を接続機器一覧リストに表示するので対象プリンタであることがすぐにわかる画像であることが望ましい。たとえばプリンタそのものの写真をデジタルカメラで撮影し、その写真をプリンタに送信しておけばＬＡＮ接続機器一覧リストに対象プリンタの写真が表示されるので視覚的に目的とするプリンタを認識しやすくなる。もちろんプリンタそのものの画像でなくとも、一覧リストに表示されたときに識別しやすい何か特徴のある画像をプリンタに送信しておけば目的は達成されるのでプリンタそのものの写真でなくても構わない。
【００２０】
プリンタに送信する画像データはデジカメで撮影した画像そのものであっても構わないが必要以上に鮮明な画像であっても通信量が増えるだけなので本発明では撮影画像を縮小したサムネイル画像を送信している。
【００２１】
デジタルカメラからサムネイル画像を受信したプリンタはそのサムネイル画像を保持しておく。
【００２２】
Ｓ２０６でデジタルカメラと対象プリンタを切断する。
【００２３】
以上でペアリングは終了し、無線でＬＡＮに接続するための準備が整った。
【００２４】
図３はデジタルカメラをＬＡＮに接続し、対象プリンタに画像データを特定する時のデジタルカメラにおける処理の流れを示すフローチャートである。なお、本処理はデジタルカメラの動作全体を制御するＣＰＵ（図示せず）により管理、実行されるものである。
【００２５】
Ｓ３０１で上述した手順によりあらかじめペアリング処理を行ったデジタルカメラを図１のアクセスポイント１０９を通して無線によりＬＡＮに接続する。ＬＡＮのセキュリティレベルによってはこの時点で認証手続きが発生する場合もある。
【００２６】
接続が完了するとＳ３０２で画像を出力する対象プリンタを探すための機器発見プロセスを実行する。機器発見のためにはＬＡＮに接続されている全ての機器に向けてサーチリクエストをブロードキャストする。サーチリクエストを受けた機器は図４に示すようなサーチレスポンスを返す。
【００２７】
サーチレスポンスはレスポンスを返す機器の情報が含まれており、ＵＵＩＤ／デバイスタイプ／サービスタイプ／機種名／ニックネーム／画像データが含まれている。Ｐｒｉｎｔｅｒなどのように機器の種類を示すデバイスタイプとその機器が実行できるサービスを示すサービスタイプは複数存在することもありえる。
【００２８】
Ｓ３０３でデジタルカメラは全ての機器からのサーチレスポンスを受信し、保持しておく。
【００２９】
Ｓ３０４でデジタルカメラはサーチ結果を図５に示すようにリスト表示する。
【００３０】
図５のリスト表示は図４のサーチレスポンスから作成され、ニックネーム４０６を見出し項目名５０７として表示している。ニックネームが付与されていない機器に関しては機種名４０５を見出し項目５０１として表示している。さらに画像データ４０７が存在する機器に関しては５０６に画像を併せて表示している。
【００３１】
リスト表示では主選択カーソル５０２をデジタルカメラの上下キー（図示せず）を用いて上下に移動させ、リストの中から目的の機器を選択する。
【００３２】
サブカーソル５０３は主カーソル５０２と上下方向に対しては連動して動き、主カーソルで選択しているリスト項目の選択５０４または詳細５０５にフォーカスしている。
【００３３】
サブカーソル５０３をデジタルカメラの左右キー（図示せず）を用いて左右に移動させ、５０５詳細にフォーカスをあわせ、デジタルカメラの決定キー（図示せず）を押すと、主カーソル５０２で選択中の機器に対する詳細情報を表示できる。詳細情報は図４で示す情報機器データ群にあるようにその機器のＵＵＩＤ／デバイスタイプ／サービスタイプ／機種名／ニックネーム／サムネイル画像である。詳細情報を表示することにより、機種名だけでは目的の機器を確実に特定できなかった場合にさらに目的の機器を特定する助けになる。
【００３４】
Ｓ３０５でデジタルカメラの上下キーを用いて主カーソル５０２を目的の機器にフォーカスさせ、左右キーを用いてサブカーソルを選択５０４にフォーカスさせた状態で決定キーを押すと選択している機器が対象プリンタとして決定される。
【００３５】
Ｓ３０５で対象プリンタが決定されたらデジタルカメラでプリントしたい画像を選択し、プリントを実行する。
【００３６】
以上に詳述したように、デジタルカメラをＬＡＮに接続する際にあらかじめ対象のプリンタとペアリング処理を行い対象プリンタにニックネームと画像データを付与しておき、ＬＡＮ接続後にニックネームや画像データを受け取ったのちにＬＡＮ接続機器一覧リストにニックネームや画像データを表示することにより、目的の機器を選択しやすくすることができる。
【００３７】
なお、本実施形態では、デジタルカメラをＬＡＮに接続する際に図１のアクセスポイント１０９を介した無線ＬＡＮで接続していたが、無線アクセスポイントの代わりに有線でＬＡＮに接続したとしても第１の実施形態と同様に対象プリンタとのペアリングののちにＬＡＮに有線接続することで同様の効果を得ることができる。
【００３８】
（第２の実施形態）
本実施形態の接続形態は、図１で説明したものと同様なものである。したがって、デジタルカメラ１０８を図１のＬＡＮに参加させるためには、デジタルカメラ１０８からアクセスポイント１０９にＬＡＮへの参加コマンドを発信し、ＬＡＮの設定によっては認証プロセスを経て、デジタルカメラ１０８をＬＡＮに接続することになる。そして、本実施形態でも、デジタルカメラ１０８から１０９アクセスポイントにＬＡＮへの参加コマンドを発信する前にＰｒｉｎｔｅｒ＿１（１０５）とデジタルカメラ１０８をＵＳＢで有線接続する。
【００３９】
本実施形態では、このとき、デジタルカメラ１０８はＰｒｉｎｔｅｒ＿１（１０５）から、後述の図９に示すような情報を取得し、後に無線でＬＡＮに接続するときにその情報を用いて数あるＬＡＮ接続機器の中から目的のＰｒｉｎｔｅｒ＿１（１０５）を見出しやすくする。
【００４０】
図６は上述の図１のＰｒｉｎｔｅｒ＿１（１０５）と図１のデジタルカメラ１０８を有線で接続した時のデジタルカメラ１０８における処理の流れを示すフローチャートである。なお、本処理はデジタルカメラの動作全体を制御するＣＰＵ（図示せず）により管理、実行されるものである。
【００４１】
Ｓ６０１で図１のデジタルカメラ１０８からの画像を出力する対象プリンタに有線で接続する。本実施形態では対象プリンタは図１Ｐｒｉｎｔｅｒ＿１（１０５）である。
【００４２】
Ｓ６０２で対象プリンタからの情報取得を開始する処理であるペアリングを開始する。ペアリングの開始は有線接続すると自動的に始まることとしてもよいし、有線接続後にプリンタまたはデジタルカメラのＵＩ部材を操作することにより、ペアリングの始まりとしてもよい。本実施形態ではプリンタのペアリング開始ボタン（図示せず）を押すことにより、ペアリングは開始される。
【００４３】
Ｓ６０３でプリンタのＵＵＩＤを取得する。ＵＵＩＤはＬＡＮに接続されている機器中では同じものは存在しないその機器固有のＩＤである。このＵＵＩＤを指定することにより、そのＬＡＮ上では接続機器を１つに限定できる。
【００４４】
Ｓ６０４でプリンタのデバイスタイプを取得する。デバイスタイプはその機器の機能を表すあらかじめ決められている種別で、プリンタ／ファクシミリ／スキャナ／ＰＣなどである。デバイスによっては複数のデバイスタイプを持っていることもある。
【００４５】
Ｓ６０５でプリンタのサービスタイプを取得する。サービスタイプはその機器の機能を表すあらかじめ決められている種別で、プリンタではポストスクリプト／ＬＩＰＳ／ＰｉｃｔＢｒｉｄｇｅなどのプリンタを使用する上でのプロトコルやデータ形式を定義したものである。デバイスによっては複数のサービスタイプを持っていることもある。
【００４６】
Ｓ６０６でプリンタの機種名を取得する。ＬＡＮには同じ機種名の機器が同時に接続されていることも当然ありえる。
【００４７】
取得したＵＵＩＤ／デバイスタイプ／サービスタイプ／機種名は図９に示すように項目名と項目の内容が対になって一つのデータ群としてデジタルカメラ内に保持される。
【００４８】
Ｓ６０７でデジタルカメラと対象プリンタを切断する。以上でペアリングは終了し、無線でＬＡＮに接続するための準備が整った。
【００４９】
図７はデジタルカメラをＬＡＮに接続し、対象プリンタに画像データをプリントする時のデジタルカメラにおける処理の流れを示すフローチャートである。なお、本処理はデジタルカメラの動作全体を制御するＣＰＵ（図示せず）により管理、実行されるものである。
【００５０】
Ｓ７０１で上述した手順によりあらかじめペアリング処理を行ったデジタルカメラを図１のアクセスポイント１０９を通して無線によりＬＡＮに接続する。ＬＡＮのセキュリティレベルによってはこの時点で認証手続きが発生する場合もある。
【００５１】
接続が完了するとＳ７０２で画像を出力する対象プリンタを探すための機器発見プロセスを実行する。機器発見のためにはＬＡＮに接続されている全ての機器に向けてサーチリクエストをブロードキャストする。サーチリクエストを受けた機器はサーチする条件に合致していればサーチレスポンスを返す。
【００５２】
サーチリクエストとサーチレスポンスは図８（ａ）、（ｂ）に示す通りで、サーチリクエストはサーチタイプの指定とそのサーチタイプで限定サーチを行うためのパラメータからなる。たとえば図８の８０３ではデバイスタイプでのサーチを行い探したいデバイスタイプはＰｒｉｎｔｅｒである。８０１はサーチタイプがＡｌｌであり、全ての機器を探すためのものであるのでパラメータは存在しない。
【００５３】
サーチリクエストを受けたＬＡＮ上の機器が返すサーチレスポンスは図８の８０６に示す通りである。サーチリクエストを受けた機器はサーチリクエストのサーチタイプとそのパラメータを調べ、自分がその条件に合致していれば８０６のサーチレスポンスを返す。８０６サーチレスポンスはレスポンスを返す機器の情報が含まれており、ＵＵＩＤ／デバイスタイプ／サービスタイプ／機種名が記されている。ＵＵＩＤ以外の項目は複数存在することもありえる。
【００５４】
図７のＳ７０２のサーチプロセスでは上述の図４サーチリクエストを用いて必要に応じたサーチを行う。
【００５５】
ＬＡＮに接続された全ての機器をリストアップしたければ図８の８０１の限定条件なしのサーチリクエストを発行する。限定条件がないのでＬＡＮに接続された全ての機器からサーチレスポンスが返ってくる。
【００５６】
ＵＵＩＤを指定してサーチを行うためには８０２のサーチリクエストを発行する。ＵＵＩＤはＬＡＮ上でユニークなものなのでサーチレスポンスは一つの機器からしか返ってこない。
【００５７】
デバイスタイプを指定してサーチを行うためには８０３のサーチリクエストを発行する。デバイスタイプをＰｒｉｎｔｅｒと指定するとＬＡＮに接続された全てのプリンタからサーチレスポンスが返ってくる。
【００５８】
サービスタイプを指定してサーチを行うためには８０４のサーチリクエストを発行する。サービスタイプをＰｉｃｔＢｒｉｄｇｅと指定するとＬＡＮに接続された全てのプリンタのうちでＰｉｃｔＢｒｉｄｇｅによるプリントが可能なプリンタからサーチレスポンスが返ってくる。
【００５９】
機種名を指定してサーチを行うためには８０５のサーチリクエストを発行する。機種名をＸＸＸＸＣＰ−１０と指定するとＬＡＮに接続された機器のうちで機種名がＸＸＸＸＣＰ−１０である機器からサーチレスポンスが返ってくる。
【００６０】
デジタルカメラは受け取った全てのサーチレスポンスを図９に示すようなデータ群として保持しておく。
【００６１】
Ｓ７０３でデジタルカメラはサーチ結果を図１０に示すようにリスト表示する。図１０はサービスタイプＰｉｃｔＢｒｉｄｇｅでサーチした結果の例である。ＬＡＮに接続された機器のうちでＰｉｃｔＢｒｉｄｇｅでプリントできるプリンタのみがリストアップされているため、選択可能なデバイスが絞り込んで表示され、目的の機器を見つけやすくなっている。図１０のリスト表示は図９の機器情報データ群から作成され、機種名１００１を見出し項目名として表示している。そのため、さらに目的の機器を選びやすくなっている。
【００６２】
リスト表示では主選択カーソル１００２をデジタルカメラの上下キー（図示せず）を用いて上下に移動させ、リストの中から目的の機器を選択する。
【００６３】
サブカーソル１００３は主カーソル１００２と上下方向に対しては連動して動き、主カーソルで選択しているリスト項目の１００４選択または１００５詳細にフォーカスしている。
【００６４】
サブカーソル１００３をデジタルカメラの左右キー（図示せず）を用いて左右に移動させ、１００５詳細にフォーカスをあわせ、デジタルカメラの決定キー（図示せず）を押すと、主カーソル１００２で選択中の機器に対する詳細情報を表示できる。詳細情報は図９で示す情報機器データ群にあるようにその機器のＵＵＩＤ／デバイスタイプ／サービスタイプ／機種名である。詳細情報を表示することにより、機種名だけでは目的の機器を確実に特定できなかった場合にさらに目的の機器を特定する助けになる。
【００６５】
Ｓ７０４でデジタルカメラの上下キーを用いて主カーソル１００２を目的の機器にフォーカスさせ、左右キーを用いてサブカーソルを選択１００４にフォーカスさせた状態で決定キーを押すと選択している機器が対象プリンタとして決定される。
【００６６】
上記の例ではサービスタイプでサーチしたものであったが、サーチリクエストのサーチタイプをＡｌｌでサーチするとＬＡＮ上の全ての機器のリストが表示される。
【００６７】
サーチリクエストのサーチタイプをＵＵＩＤでサーチするとＬＡＮ上の全ての機器の中からそのＵＵＩＤを持った機器が一台だけ表示される。ペアリングをおこなった機器を対象プリンタとして決定している場合にはＵＵＩＤでサーチすると機器を選択する手順を省くこともでき、図７のＳ７０３のリスト表示自体を省略することもできる。
【００６８】
サーチリクエストのサーチタイプをデバイスタイプでサーチするとＬＡＮ上の全ての機器のなかから指定したデバイスタイプを持ったものだけのリストが表示される。デバイスタイプをＰｒｉｎｔｅｒとしてサーチするとＬＡＮ上のＰｒｉｎｔｅｒだけのリストを表示することになる。
【００６９】
サーチリクエストのサーチタイプを機種名でサーチするとＬＡＮ上の全ての機器のなかから指定した機種名を持ったものだけのリストが表示される。
【００７０】
Ｓ７０４で対象プリンタが決定されたらデジタルカメラでプリントしたい画像を選択し、Ｓ７０５でプリントを実行する。
【００７１】
以上により、デジタルカメラをＬＡＮに接続する際にあらかじめ対象のプリンタとペアリング処理を行い対象プリンタの機器情報を取得しておき、その取得情報を用いてサーチターゲットを限定してデバイスサーチを実行することにより接続機器選択リストにリストアップされる機器を限定することにより、目的の機器を選択しやすくすることができた。
【００７２】
第２の実施形態ではデジタルカメラをＬＡＮに接続する際に図１アクセスポイント１０９を介した無線ＬＡＮで接続していたが、無線アクセスポイントの代わりに有線でＬＡＮに接続したとしても実施形態２と同様に対象プリンタとのペアリングののちにＬＡＮに有線接続することで同様の効果を得ることができる。
【００７３】
（他の実施形態）
上記実施形態においては、デジタルカメラを例に説明したが、本発明はこれに限るものではなく、ＰＤＡや携帯電話等、ネットワーク接続が可能な機器であれば適用可能なものであることは言うまでもない。
【００７４】
また、接続先の機器として、プリンタを例に説明したが、本発明はこれに限るものではなく、複写機、表示装置、記憶装置等、他のネットワーク機器を接続先の機器としても適用可能である。
【図面の簡単な説明】
【００７５】
【図１】デジタルカメラをＬＡＮに接続する際のネットワーク構成図である。
【図２】デジタルカメラとプリント対象プリンタとのペアリング処理の流れを示すフローチャートである。
【図３】デジタルカメラをＬＡＮに接続し、接続機器をサーチして目的のプリンタを探す処理の流れを示すフローチャートである。
【図４】ＬＡＮに接続された機器が返信するサーチレスポンスの例である。
【図５】ＬＡＮに接続されたデジタルカメラがＬＡＮに接続された機器のリストを表示する例である。
【図６】デジタルカメラとプリント対象プリンタとのペアリング処理の流れを示すフローチャートである。
【図７】デジタルカメラをＬＡＮに接続し、サーチターゲットを限定条件付でサーチしてプリントを行う処理の流れを示すフローチャートである。
【図８】ＬＡＮに接続されたデジタルカメラが発行するサーチリクエストとＬＡＮに接続された機器が返信するサーチレスポンスの例である。
【図９】ＬＡＮに接続されたデジタルカメラがＬＡＮに接続された機器が返信したサーチレスポンスを集めてカメラ内に保持するデータ群の例である。
【図１０】ＬＡＮに接続されたデジタルカメラがＬＡＮに接続された機器をサーチした結果をリスト表示する例である。
【符号の説明】
【００７６】
１０１  ネットワーク
１０２〜１０４  ＬＡＮに接続されているＰＣ
１０５〜１０７  ＬＡＮに接続されているプリンタ
１０８  ＬＡＮに接続するデジタルカメラ
１０９  無線ＬＡＮ用アクセスポイント
４０１〜４０７  ＬＡＮに接続された機器から返ってくるサーチレスポンスの例
５０１  リスト表示されたプリンタ機種名
５０２  主カーソル
５０３  サブカーソル
５０４  選択ボタン
５０５  詳細ボタン
５０６  サムネイル画像
５０７  ニックネーム
８０１〜８０５  ＬＡＮに接続された機器を探し出すサーチリクエストの例
８０６  ＬＡＮに接続された機器から返ってくるサーチレスポンスの例
９０１  ＬＡＮに接続された機器から返ってきたサーチレスポンスを集めてカメラ内に保持するデータ群の例
１００１  リスト表示されたプリンタ機種名
１００２  主カーソル
１００３  サブカーソル
１００４  選択ボタン
１００５  詳細ボタン
【図１】
2006109296.tif 000003
【図２】
2006109296.tif 000004
【図３】
2006109296.tif 000005
【図４】
2006109296.tif 000006
【図５】
2006109296.tif 000007
【図６】
2006109296.tif 000008
【図７】
2006109296.tif 000009
【図８】
2006109296.tif 000010
【図９】
2006109296.tif 000011
【図１０】
2006109296.tif 000012